(57)【要約】【課題】リモコン装置を用いなくても遠隔から操作することのできる携帯端末装置を提供する。【解決手段】携帯電話端末１は、モーション検出部１１が、カメラ１０１により撮影された動画像から人物のモーションを検出し、モーション判定部１３が、モーション検出部１１により検出されたモーションがモーション定義格納部１２に予め登録されているモーションのどれと一致するかを判定し、ＴＶ受信制御部１４が、モーション判定部１３の出力にもとづいて、ワンセグ放送の受信処理制御用の制御信号を出力する。【選択図】図１
2010041129.tif 000002
【特許請求の範囲】
【請求項１】
カメラを内蔵する携帯端末装置であって、
前記カメラにより撮影された動画像から人物のモーションを検出するモーション検出手段と、
前記モーション検出手段により検出された前記モーションが予め登録されたモーションのどれと一致するかを判定するモーション判定手段と、
前記モーション判定手段の出力にもとづいて制御信号を出力する制御手段と
を備えることを特徴とする携帯端末装置。
【請求項２】
カメラを内蔵する携帯端末装置であって、
前記カメラにより撮影された画像から特定のパターンを検出するパターン検出手段と、
前記パターン検出手段により検出された前記パターンが予め登録されたパターンのどれと一致するかを判定するパターン判定手段と、
前記パターン判定手段の出力にもとづいて制御信号を出力する制御手段と
を備えることを特徴とする携帯端末装置。
【請求項３】
マイクにより集音された音声から特定の音声パターンを検出する音声パターン検出手段と、
前記音声パターン検出手段により検出された前記音声パターンが予め登録された音声パターンのどれと一致するかを判定する音声パターン判定手段と、
前記音声パターン判定手段の出力にもとづいて制御信号を出力する制御手段と
を備えることを特徴とする携帯端末装置。
【請求項４】
前記制御手段が、
内蔵のＴＶ受信手段の機能を制御する
ことを特徴とする請求項１乃至３のいずれか１項に記載の携帯端末装置。
【請求項５】
前記制御手段が、
内蔵のオーディオ再生手段の機能を制御する
ことを特徴とする請求項１乃至３のいずれか１項に記載の携帯端末装置。
【発明の詳細な説明】
【技術分野】
【０００１】
本発明は、携帯端末装置に関する。
【背景技術】
【０００２】
近年、携帯電話端末等の携帯端末装置は高機能化し、内蔵カメラによる動画撮影機能や、メモリカードなどにダウンロードされた楽曲データを再生するオーディオ再生機能などが、標準的に搭載されるようになっている。さらに最近では、地上デジタル放送の普及に伴い、いわゆるワンセグ放送を受信するＴＶ受信機能を搭載した携帯電話端末も増加している。
【０００３】
従来、このようなＴＶ放送を視聴するとき、選局などの受信機能の制御は、携帯電話端末のキーを用いて行われている（例えば、特許文献１参照。）。
【０００４】
また、ＴＶ受信可能な携帯電話端末では、ＴＶ視聴を好適にするため、表示部の大画面化が図られることも多い。
【０００５】
このような大画面の表示部を備える携帯電話端末でＴＶ放送を視聴するとき、自宅などでは、携帯電話端末を手に持たず、テーブルの上や充電台などに置いて、視聴することが多い。同様に、音楽の再生も、携帯電話端末を手に持たずに再生することが行われる。これは、携帯電話端末を据え置きにした方が、手が疲れない、他の作業に自由に手が使える、などの利点が多いからである。
【０００６】
しかし、ＴＶ放送のチャンネル変更や音量調整、音楽再生の一時停止や楽曲のスキップなどの操作を行うときは、携帯電話端末までわざわざ手を伸ばしてキー操作を行わなければならない。このような問題に対して、一般のＴＶ受像機やオーディオ装置では、リモコン装置を付属させているが、もともと携帯機器である携帯電話端末にリモコン装置を付属させると、そのリモコン装置まで携帯しなければならず、携帯電話端末の利便性を損ねる、という問題があった。
【特許文献１】特開２００７−２２１５１８号公報  （第５−６ページ、図１）
【発明の開示】
【発明が解決しようとする課題】
【０００７】
そこで、本発明の目的は、リモコン装置を用いなくても遠隔から操作することのできる携帯端末装置を提供することにある。
【課題を解決するための手段】
【０００８】
本発明の一態様によれば、カメラを内蔵する携帯端末装置であって、前記カメラにより撮影された動画像から人物のモーションを検出するモーション検出手段と、前記モーション検出手段により検出された前記モーションが予め登録されたモーションのどれと一致するかを判定するモーション判定手段と、前記モーション判定手段の出力にもとづいて制御信号を出力する制御手段とを備えることを特徴とする携帯端末装置が提供される。
【０００９】
また、本発明の別の一態様によれば、カメラを内蔵する携帯端末装置であって、前記カメラにより撮影された画像から特定のパターンを検出するパターン検出手段と、前記パターン検出手段により検出された前記パターンが予め登録されたパターンのどれと一致するかを判定するパターン判定手段と、前記パターン判定手段の出力にもとづいて制御信号を出力する制御手段とを備えることを特徴とする携帯端末装置が提供される。
【００１０】
また、本発明のさらに別の一態様によれば、マイクにより集音された音声から特定の音声パターンを検出する音声パターン検出手段と、前記音声パターン検出手段により検出された前記音声パターンが予め登録された音声パターンのどれと一致するかを判定する音声パターン判定手段と、前記音声パターン判定手段の出力にもとづいて制御信号を出力する制御手段とを備えることを特徴とする携帯端末装置が提供される。
【発明の効果】
【００１１】
本発明によれば、リモコン装置を用いなくても携帯端末装置を遠隔から操作することができる。
【発明を実施するための最良の形態】
【００１２】
以下、携帯端末装置として携帯電話端末を例にとり、本発明の実施例を図面を参照して説明する。なお、以下の各図において、同一または同等の機能を有するブロックには同一または類似の符号を付し、その繰り返しの説明は省略する。
【実施例１】
【００１３】
図１は、本発明の実施例１に係る携帯電話端末の構成の例を示すブロック図である。
【００１４】
本実施例の携帯電話端末１は、カメラ１０１を内蔵し、ワンセグ放送受信用の１ＳＥＧチューナ２０１を備えるものとする。ワンセグ放送の選局や、映像／音声処理などはＴＶ受信処理部２０２で行われ、映像は映像表示部３０１に表示され、音声は音声出力部４０１へ出力される。
【００１５】
本実施例では、携帯電話端末１を据え置きにしてワンセグ放送を視聴中の利用者が、カメラ１０１に向かって、予め決められたモーション、例えば、手を右から左へ動かす、あるいは左から右へ動かす、などのモーションを示すことにより、例えばチャンネルの変更や再生音量の変更などの操作を、遠隔から行えるようにする例を示す。
【００１６】
本実施例の携帯電話端末１は、カメラ１０１により撮影された動画像から人物のモーションを検出するモーション検出部１１と、モーション検出部１１により検出されたモーションがモーション定義格納部１２に予め登録されているモーションのどれと一致するかを判定するモーション判定部１３と、モーション判定部１３の出力にもとづいて、ワンセグ放送の受信処理制御用の制御信号を出力するＴＶ受信制御部１４と、を備える。
【００１７】
モーション検出部１１は、カメラ１０１から周期的に取り込まれる動画像の前回の画像と今回の画像を比較することにより、利用者の示したモーションを検出する。
【００１８】
モーション定義格納部１２には、チャンネルのアップ、チャンネルのダウン、音量のアップ、音量のダウンなどの各操作に対応するモーションが、予約語として登録されている。
【００１９】
モーション判定部１３は、モーション検出部１１により検出されたモーションをモーション定義格納部１２に格納されている予約語のモーションと比較し、最も一致度の高い予約語のモーションを、利用者が示したモーションと判定し、その予約語のモーションをＴＶ受信制御部１４へ出力する。
【００２０】
ＴＶ受信制御部１４は、予約語のモーションと操作内容とを関連付けるため、例えば、予約語のモーションと操作内容との対応を記述したテーブルを備えている。モーション判定部１３からモーションが入力されると、ＴＶ受信制御部１４は、そのモーションに対応する操作内容を上述のテーブルから読み出し、その操作のための制御信号をＴＶ受信処理部２０２へ出力する。
【００２１】
例えば、モーション判定部１３から入力されたモーションが、チャンネルアップを要求するモーションであったときは、ＴＶ受信制御部１４は、ＴＶ受信処理部２０２へチャンネルアップ要求信号を出力する。この信号を受けて、ＴＶ受信処理部２０２は、１ＳＥＧチューナ２０１へ受信チャンネルのアップを指示する。
【００２２】
また、モーション判定部１３から入力されたモーションが、音量アップを要求するモーションであったときは、ＴＶ受信制御部１４は、ＴＶ受信処理部２０２へ音量アップ要求信号を出力する。この信号を受けて、ＴＶ受信処理部２０２は、音声出力部４０１へ出力する音量を増大させる。
【００２３】
このような本実施例によれば、カメラ１０１により撮影された動画像から利用者のモーションを検出してワンセグ放送の受信処理を制御するので、利用者は、チャンネルの変更や音量の変更などの操作を遠隔から行うことができる。
【実施例２】
【００２４】
図２は、本発明の実施例２に係る携帯電話端末の構成の例を示すブロック図である。本実施例の携帯電話端末も、実施例１と同様、利用者のモーションを検出してワンセグ放送の受信処理の制御を行う。
【００２５】
本実施例の携帯電話端末２は、２台のカメラ１０１、１０２を備える。このカメラ１０１、１０２は、例えば、左右の離れた位置に配置されている。離れた位置に配置された２台のカメラ１０１、１０２で撮影することにより、本実施例では、異なる角度から撮影した利用者の動画像を得ることができる。これにより、１台のカメラで撮影するよりも、より正確に利用者のモーションを捉えることができる。
【００２６】
本実施例のモーション検出部１１Ａは、カメラ１０１で撮影した動画像から検出したモーションと、カメラ１０２で撮影した動画像から検出したモーションとを比較し、一致度の最も高いモーションを、利用者の示したモーションとして検出する。
【００２７】
このような本実施例によれば、離れた位置に配置された２台のカメラ１０１、１０２を用いて、異なる角度から利用者のモーションを撮影することにより、より正確に利用者のモーションを捉えることができる。これにより、モーション検出の精度が向上し、遠隔操作の誤操作を防止することができる。
【実施例３】
【００２８】
図３は、本発明の実施例３に係る携帯電話端末の構成の例を示すブロック図である。本実施例の携帯電話端末も、実施例１と同様、カメラ１０１により撮影された画像を利用して、ワンセグ放送の受信処理の制御を行う。
【００２９】
本実施例の携帯電話端末３は、カメラ１０１により撮影された画像から特定のパターンを検出するパターン検出部２１と、パターン検出部２１により検出されたパターンがパターン定義格納部２２に予め登録されているパターンのどれと一致するかを判定するパターン判定部２３と、パターン判定部２３の出力にもとづいて、ワンセグ放送の受信処理制御用の制御信号を出力するＴＶ受信制御部２４と、を備える。
【００３０】
パターン検出部２１は、カメラ１０１により撮影された画像から、例えば、手の方向や指の形で示されるパターンを検出する。
【００３１】
パターン定義格納部２２には、チャンネルのアップ、チャンネルのダウン、音量のアップ、音量のダウンなどの各操作に対応するパターンが、予約語として登録されている。
【００３２】
パターン判定部２３は、パターン検出部２１により検出されたパターンをパターン定義格納部２２に格納されている予約語のパターンと比較し、最も一致度の高い予約語のパターンを、利用者が示したパターンと判定し、その予約語のパターンをＴＶ受信制御部２４へ出力する。
【００３３】
ＴＶ受信制御部２４は、予約語のパターンと操作内容とを関連付けるため、例えば、予約語のパターンと操作内容との対応を記述したテーブルを備えている。パターン判定部２３からパターンが入力されると、ＴＶ受信制御部２４は、そのパターンに対応する操作内容を上述のテーブルから読み出し、その操作のための制御信号をＴＶ受信処理部２０２へ出力する。
【００３４】
このような本実施例によれば、カメラ１０１により撮影された画像から利用者の示すパターンを検出してワンセグ放送の受信処理を制御する。パターンの検出は、実施例１などのモーション検出よりも演算量が少ないので、遠隔操作を行うときの演算時間や電力消費を少なくすることができる。
【実施例４】
【００３５】
図４は、本発明の実施例４に係る携帯電話端末の構成の例を示すブロック図である。本実施例の携帯電話端末は、マイクで集音された音声により、ワンセグ放送の受信処理の制御を行う。
【００３６】
本実施例の携帯電話端末４は、マイク５０１により集音された音声から特定の音声パターンを検出する音声パターン検出部３１と、音声パターン検出部３１により検出された音声パターンが音声パターン定義格納部３２に予め登録されている音声パターンのどれと一致するかを判定する音声パターン判定部３３と、音声パターン判定部３３の出力にもとづいて、ワンセグ放送の受信処理制御用の制御信号を出力するＴＶ受信制御部３４と、を備える。
【００３７】
本実施例では、携帯電話端末４を据え置きにしてワンセグ放送を視聴中の利用者が、マイク５０１に向かって、予め決められた音声パターン、例えば、チャンネルアップのときは「上」、チャンネルアップのときは「下」など、を発声することにより、ワンセグ放送受信に関する操作を、遠隔から行えるようにする。
【００３８】
音声パターン検出部３１は、マイク５０１により集音された音声から、「上」、「下」などの特定の音声パターンを検出する。
【００３９】
音声パターン定義格納部３２には、チャンネルのアップ、チャンネルのダウン、音量のアップ、音量のダウンなどの各操作に対応する音声パターンが、予約語として登録されている。
【００４０】
音声パターン判定部３３は、音声パターン検出部３１により検出された音声パターンを音声パターン定義格納部３２に格納されている予約語の音声パターンと比較し、最も一致度の高い予約語の音声パターンを、利用者が発声した音声パターンと判定し、その予約語の音声パターンをＴＶ受信制御部３４へ出力する。
【００４１】
ＴＶ受信制御部３４は、予約語の音声パターンと操作内容とを関連付けるため、例えば、予約語の音声パターンと操作内容との対応を記述したテーブルを備えている。音声パターン判定部３３から音声パターンが入力されると、ＴＶ受信制御部３４は、その音声パターンに対応する操作内容を上述のテーブルから読み出し、その操作のための制御信号をＴＶ受信処理部２０２へ出力する。
【００４２】
このような本実施例によれば、マイク５０１により集音された音声から利用者が発声した音声パターンを検出してワンセグ放送の受信処理を制御する。音声データの処理は、実施例１などにおける映像データの処理よりも簡単なので、遠隔操作を行うときの演算処理量を少なくすることができる。
【実施例５】
【００４３】
実施例１では、カメラ１０１により撮影された画像から利用者の示すモーションを検出し、ワンセグ放送の受信処理を制御する例を示したが、本実施例では、検出したモーションにより、オーディオ再生処理を制御する例を示す。
【００４４】
図５は、本発明の実施例５に係る携帯電話端末の構成の例を示すブロック図である。
【００４５】
本実施例の携帯電話端末５は、内蔵メモリや外付けメモリカードなどのオーディオデータ格納部５０１と、オーディオデータ格納部５０１からオーディオデータを読み出して音声の再生を行うオーディオ再生処理部６０１と、を備える。オーディオ再生処理部６０１は、再生音量の制御や、再生の開始／一時停止／スキップ／終了などの再生動作の制御を行う。オーディオ再生処理部６０１により再生された音声は、音声出力部４０１へ出力される。
【００４６】
本実施例の携帯電話端末５は、モーション検出部１１、モーション定義格納部１２、モーション判定部１３を実施例１と同様に備え、モーション判定部１３の出力にもとづいてオーディオ再生処理制御用の制御信号を出力するオーディオ再生制御部４４を備える。
【００４７】
オーディオ再生制御部４４は、モーション定義格納部１２に格納されている予約語のモーションと操作内容とを関連付けるため、例えば、予約語のモーションと操作内容との対応を記述したテーブルを備えている。モーション判定部１３からモーションが入力されると、オーディオ再生制御部４４は、そのモーションに対応する操作内容を上述のテーブルから読み出し、その操作のための制御信号をオーディオ再生処理部６０１へ出力する。
【００４８】
例えば、モーション判定部１３から入力されたモーションが、音量アップを要求するモーションであったときは、オーディオ再生制御部４４は、オーディオ再生処理部６０１へ音量アップ要求信号を出力する。この信号を受けて、オーディオ再生処理部６０１は、音声出力部４０１へ出力する音量を増大させる。
【００４９】
このような本実施例によれば、カメラ１０１により撮影された動画像から利用者のモーションを検出してオーディオ再生処理を制御するので、利用者は、音量の変更や、再生の開始／一時停止／スキップ／終了などの操作を遠隔から行うことができる。
【実施例６】
【００５０】
図６は、本発明の実施例６に係る携帯電話端末の構成の例を示すブロック図である。本実施例の携帯電話端末は、実施例３と同様にカメラ１０１により撮影された画像から利用者の示すパターンを検出し、その検出したパターンにより、実施例５と同様、オーディオ再生処理を制御する。
【００５１】
本実施例の携帯電話端末６は、パターン検出部２１、パターン定義格納部２２、パターン判定部２３を実施例３と同様に備え、パターン判定部２３の出力にもとづいてオーディオ再生処理制御用の制御信号を出力するオーディオ再生制御部５４を備える。
【００５２】
オーディオ再生制御部５４は、パターン定義格納部２２に格納されている予約語のパターンと操作内容とを関連付けるため、例えば、予約語のパターンと操作内容との対応を記述したテーブルを備えている。パターン判定部２３からパターンが入力されると、オーディオ再生制御部５４は、そのパターンに対応する操作内容を上述のテーブルから読み出し、その操作のための制御信号をオーディオ再生処理部６０１へ出力する。
【００５３】
このような本実施例によれば、カメラ１０１により撮影された画像から利用者の示すパターンを検出することにより、オーディオ再生処理を遠隔から制御することができる。
【実施例７】
【００５４】
図７は、本発明の実施例７に係る携帯電話端末の構成の例を示すブロック図である。本実施例の携帯電話端末は、実施例４と同様にマイク５０１により集音された音声から利用者が発声した音声パターンを検出し、その検出した音声パターンにより、実施例６と同様、オーディオ再生処理を制御する。
【００５５】
本実施例の携帯電話端末７は、音声パターン検出部３１、音声パターン定義格納部３２、音声パターン判定部３３を実施例４と同様に備え、音声パターン判定部３３の出力にもとづいてオーディオ再生処理制御用の制御信号を出力するオーディオ再生制御部６４を備える。
【００５６】
オーディオ再生制御部６４は、音声パターン定義格納部３２に格納された予約語の音声パターンと操作内容とを関連付けるため、例えば、予約語の音声パターンと操作内容との対応を記述したテーブルを備えている。音声パターン判定部３３から音声パターンが入力されると、オーディオ再生制御部６４は、その音声パターンに対応する操作内容を上述のテーブルから読み出し、その操作のための制御信号をオーディオ再生処理部６０１へ出力する。
【００５７】
このような本実施例によれば、マイク５０１により集音された音声から利用者が発声した音声パターンを検出することにより、オーディオ再生処理を遠隔から制御することができる。
【００５８】
なお、上述の各実施例では、ワンセグ放送の受信処理およびオーディオ再生処理への適用を例にとって説明したが、本発明は、携帯電話端末のその他の機能、例えば、着信を受ける操作や、受信メールを開いてスクロールを行う操作などにも、適用することができる。また、携帯電話端末に限らず、カメラあるいはマイクを備えるものであれば、どのような携帯端末装置であっても、本発明を適用することが可能である。
【図面の簡単な説明】
【００５９】
【図１】本発明の実施例１に係る携帯電話端末の構成の例を示すブロック図。
【図２】本発明の実施例２に係る携帯電話端末の構成の例を示すブロック図。
【図３】本発明の実施例３に係る携帯電話端末の構成の例を示すブロック図。
【図４】本発明の実施例４に係る携帯電話端末の構成の例を示すブロック図。
【図５】本発明の実施例５に係る携帯電話端末の構成の例を示すブロック図。
【図６】本発明の実施例６に係る携帯電話端末の構成の例を示すブロック図。
【図７】本発明の実施例７に係る携帯電話端末の構成の例を示すブロック図。
【符号の説明】
【００６０】
１〜７  携帯電話端末
１１、１１Ａ  モーション検出部
１２  モーション定義格納部
１３  モーション判定部
１４、２４、３４  ＴＶ受信制御部
２１  パターン検出部
２２  パターン定義格納部
２３  パターン判定部
３１  音声パターン検出部
３２  音声パターン定義格納部
３３  音声パターン判定部
４４、５４、６４  オーディオ再生制御部
【図１】
2010041129.tif 000003
【図２】
2010041129.tif 000004
【図３】
2010041129.tif 000005
【図４】
2010041129.tif 000006
【図５】
2010041129.tif 000007
【図６】
2010041129.tif 000008
【図７】
2010041129.tif 000009